(57)【要約】      （修正有）【課題】天板を様々な用途ごとに差し替えて利用可能な多目的テーブルを提供する。【解決手段】テーブルであって、天板は対向する一対の固定天版と、該固定天版に挟持されたスライド抜脱自在な複数の可動天板からなり、前記可動天版の下部には上部を開口した箱状の収納体が前記固定天版に固定して設けられ、また該収納体の下部には前記脚部に挟持された箱状の下部収納体を配置し、前記複数の可動天板のスライドによる抜脱によって前記固定天版の下部の収納体の上部を開閉可能とし、また前記複数の可動天板はゲーム盤、植木置き、照明用カバー、ワインクーラー用台のいずれかを選択して使用する。【選択図】図１
0003142757.tif 000002
【実用新案登録請求の範囲】
【請求項１】
天板と、該天板を支持する脚体とから構成されるテーブルであって、前記天板は対向する一対の固定天版と、該固定天版に挟持されスライド抜脱自在な複数の可動天板からなり、前記可動天版の下部には上部を開口した箱状の収納体が前記固定天版に固定して設けられ、また該収納体の下部には前記脚部に挟持された箱状の下部収納体を配置し、前記複数の可動天板のスライドによる抜脱によって前記固定天版の下部の収納体の上部を開閉可能とし、また前記複数の可動天板の少なくとも一つはゲーム盤、植木置き、照明用カバー、ワインクーラー用台のいずれかであることを特徴とする多目的テーブル。
【考案の詳細な説明】
【技術分野】
【０００１】
本考案は天板と、該天板を支持する脚体とからなるテーブルであって、とくに天板を様々な用途ごとに差し替えて利用可能な多目的テーブルに関するものである。
【背景技術】
【０００２】
従来のテーブルは、テーブル本来の目的である物の載置の機能の達成するものがほとんどであり、このテーブルの天板をゲーム台として使用したり、収納機能を設けたり、装飾を施して照明装置として利用できるものではなかった。
【０００３】
そこで、上部が開口した略箱体の本体を脚部が支え、該開口部に透明な天板を設けた照明付きテーブルが提案されている（特許文献１参照。）。また、脚部に支持され直線状の２本のレール部材を備えたレール部を有する支持基体と、支持基体の上面側に設けられ、レール部に沿ってスライド方向長さで形成された複数個の天板部材からなるテーブルもある（特許文献２参照。）。
【０００４】
【特許文献１】実登３０８８２６０号公報
【特許文献２】実登３１０１４１７号公報
【考案の開示】
【考案が解決しようとする課題】
【０００５】
しかし、上記の特許文献１に記載されているテーブルは、照明装置としてのみ特徴を有する構造であり、他の用途に使用できるものではなかった。また、特許文献２に記載されているテーブルは２本のレールに沿って異なる材質や色の天板を入れ替えて使用できるものであるが、天板全体が移動可能であるため、固定部材による固定が必要であり、しかもテーブル本来の用途以外の利用を考慮したものではなかった。
【０００６】
本考案は、上記問題点に鑑みなされたものであり、天板を様々な用途ごとに抜脱して差し替えて、テーブル本来の用途以外の、例えばゲームや装飾、照明として使用することができるテーブルを提供するものである。
【課題を解決するための手段】
【０００７】
このため本考案のテーブルは、天板と、該天板を支持する脚体とから構成されるテーブルであって、前記天板は対向する一対の固定天版と、該固定天版に挟持されスライド抜脱自在な複数の可動天板からなり、前記可動天版の下部には上部を開口した箱状の収納体が前記固定天版に固定して設けられ、また該収納体の下部には前記脚部に挟持された箱状の下部収納体を配置し、前記複数の可動天板のスライドによる抜脱によって前記固定天版の下部の収納体の上部を開閉可能とし、また前記複数の可動天板の少なくとも一つはゲーム盤、植木置き、照明用カバー、ワインクーラー用台のいずれかであることを特徴とする。
【考案の効果】
【０００８】
本考案のテーブルは、以上のように構成されているので次のような優れた効果を有する。
（１）テーブルの天板が一対の固定天版と、この天板に挟持されスライド抜脱自在な複数の可動天板から構成されており通常のテーブルとして使用できるだけでなく、この可動天板を選択して抜脱させることによってテーブル本来の用途以外の、例えばゲームや装飾、照明として使用することができるという効果がある。
（２）また可動天版の下部には上部を開口した箱状の収納体が設けられ、さらにこの収納体の下部にはテーブルの脚部に挟持された箱状の下部収納体が配置されており、見栄え良く収納せることができるという効果がある。
【考案を実施するための最良の形態】
【０００９】
以下、本考案の実施の形態を、図面に示す実施例に基づいて説明するが、本考案が本実施例に限定されないことは言うまでもない。図１は、本考案に係るテーブルの一実施例を示す斜視図、図２は図１の平面図、図３は図２のＡ−Ａ線断面図である。
【実施例】
【００１０】
図１乃至図３に示すように、本考案のテーブル１は、脚部２と、この脚部２に支持される一対の固定天板３と、この固定天板３に挟持されてＸ方向にスライドする３枚の可動天板４と、固定天板３の下部に取り付けられた収納体５と、この収納体５の下部で脚部２に挟持された下部収納体６とから構成されている。
【００１１】
脚部２は、４枚の長方形の板を立設してなり、この脚部２の上部に２枚の固定天板３がそれぞれ長手方向に張設され、後述する可動天板４を挟持する位置に離間して取り付けられている。また、固定天板３の下部には箱状の収納体５が上部に開口部７を形成して取り付けられている。そして、収納体５の下部には４枚の脚部２に挟持された下部収納体６が蓋８を有して配置されている。尚、上記の脚部２、固定天板３、収納体５及び下収納体６はいずれも同一材料（例えば木材）から構成されている。
【００１２】
可動天板４は、２枚の長方形の板からなる可動天板４ａ、４ｂと、１枚の方形の板からなる可動天板４ｂの３枚の板材から構成されており、上記固定天版３に挟持された状態でＸ方向にスライドして抜脱自在とされる。また方形の可動天板４ｂには複数の孔部９が穿設されており、後述するゲームや照明用の孔として利用される。尚、この可動天板４の数は３枚に限定されず、また材質も木材だけでなく陶器、金属、合成樹脂などが選択されて使用される。
【００１３】
上記一対の固定天板３が対向する面には、長手方向に溝部９がそれぞれ形成され、また固定天板３に挟持されてＸ方向にスライドする可動天板４には、この溝部１０とスライド係合する凸部１１が可動天板４の固定天板３と当接する面に夫々形成されている。この溝部１０と凸部１１とのスライド係合によって、可動天板４は抜脱自在とされ、図１に示す３枚の可動天板４ａ、４ｂ、４ｃを夫々差し替えて利用することができ、例えば上記収納体５内に上部開口部７から物を出し入れすることが可能となる。
【００１４】
次に上記の構成からなる本考案のテーブル１の作用を説明する。
【００１５】
図１に示すように、本考案のテーブル１の可動天板４の中央位置にスライドして配置した可動天板４ｂには複数の孔部９が穿設されており、この孔部９を利用して例えばビーズ玉１２を適宜に出し入れすることによって、陣取りゲームなどとして利用することができる。この際、この可動天板４ｂはテーブル１の中央位置ばかりでなく、可動天板４ａ、或いは４ｃをスライド移動させて差し替えることも当然可能であり、利用者の使用する条件にあわせて変更される。さらに、この孔部９は蛍光灯などの照明器具（図示せず）を上記した収納体５に設置することによって、照明装置としての利用も可能となる。
【００１６】
以上、本考案によるテーブルによれば、天板を様々な用途ごとに抜脱して差し替えて、テーブル本来の用途以外の、例えばゲームや装飾、照明或いは収納として使用することができるため、沢山の人が集まって憩いの場としての利用ができる。
【図面の簡単な説明】
【００１７】
【図１】本考案に係るテーブルの一実施例を示す斜視図である。
【図２】図１の平面図である。
【図３】図２のＡ−Ａ線断面図である。
【符号の説明】
【００１８】
１                テーブル
２                脚部
３                固定天板
４                可動天板
４ａ、４ｂ、４ｃ  可動天板
５                収納体
６                
７                
８                
９                孔部
１０                溝部
１１                凸部
１２                ビーズ玉
【図１】
0003142757.tif 000003
【図２】
0003142757.tif 000004
【図３】
0003142757.tif 000005